(57)【要約】【課題】建築物の各領域における環境の最適化制御を行うことが可能な無線通信ネットワーク及びその管理方法の提供。【解決手段】無線通信ネットワークシステムは、複数のスマートノードと、複数の領域制御装置と、を備えている。各スマートノードは、それぞれ、領域制御装置に電気的に接続され、建築物の異なる領域に設けられる。各領域制御装置は、それぞれ、所在領域における設備全体と無線で自己組織ネットワークを構築し、これら設備を制御して当該設備からフィードバックされた情報を受信する。各スマートノードは、それぞれ、接続した領域制御装置から関連情報を抽出し、分析及び必要な演算を行って、所在領域の環境の最適化を行う。各スマートノードは、それぞれ、自己組織ネットワークを介して通信して各所定領域内の情報を互いに伝送することによって、多領域における環境の最適化を同時に行う。【選択図】図２
2016072977.tif 000002
【特許請求の範囲】
【請求項１】
建築物の多領域を管理するための無線通信ネットワークシステムであって、
それぞれ、複数の領域内に設けられるとともに自己の所在する所在領域における少なくとも１つの領域設備に無線接続され、前記領域設備を制御することによって前記領域設備からフィードバックされた情報を受信する複数の領域制御装置と、
それぞれ、複数の領域内に設けられるとともに前記領域制御装置に電気的に接続され、前記領域制御装置から前記情報を抽出して自己の所在する所在領域内の環境が使用者の要求を満たす快適度となるために必要なリソースを算出する複数のスマートノードと、を備え、
複数の前記スマートノードは、互いに無線接続されて各前記領域の前記情報を伝送することを特徴とする無線通信ネットワークシステム。
【請求項２】
各前記領域制御装置は、それぞれ、局部領域無線検出ネットワークを介して、当該領域制御装置の所在領域内の前記領域設備に無線接続され、
各前記スマートノードは、相互接続無線通信ネットワークを介して無線接続されることを特徴とする請求項１に記載の無線通信ネットワークシステム。
【請求項３】
前記局部領域無線検出ネットワークは、Ｚｉｇｂｅｅを用いた通信ネットワークであり、
前記相互接続無線通信ネットワークは、無線メッシュネットワーク（Ｗｉｒｅｌｅｓｓ  Ｍｅｓｈ  Ｎｅｔｗｏｒｋ，ＷＭＮ）であることを特徴とする請求項２に記載無線通信ネットワークシステム。
【請求項４】
複数の前記スマートノードのうち、少なくとも１つのスマートノードは、ルータ機能を有し、前記相互接続無線通信ネットワークを介して複数の前記スマートノードの演算結果を受信して総演算を行うとともに、領域全体が使用者の要求を満たす快適度となるために必要なリソースを取得することを特徴とする請求項２に記載の無線通信ネットワークシステム。
【請求項５】
前記ルータ機能を有するスマートノード及び前記建築物の大型設備に無線接続される第２のスマートノードをさらに備え、
前記第２のスマートノードは、前記ルータ機能を有するスマートノードを介して各前記領域が使用者の要求を満たす快適度となるために必要なリソースを受信することによって、前記大型設備を制御して対応する動作を行わせることを特徴とする請求項４に記載の無線通信ネットワークシステム。
【請求項６】
前記ルータ機能を有するスマートノードに接続されるゲートウェイと、
前記ゲートウェイに電気的に接続されるバスバーと、
前記バスバーに電気的に接続され、複数の前記領域の前記情報、前記建築物の基本データ、階構成及び前記建築物における各項ハードウェア設備の設置位置を記憶するデータベースサーバと、
前記バスバーに電気的に接続され、前記データベースサーバから前記情報を取得して分析及び演算を行うとともに、前記建築物全体の環境に対して最適化制御を行う管理サーバと、をさらに備えることを特徴とする請求項４に記載の無線通信ネットワークシステム。
【請求項７】
各前記領域内には、それぞれ、領域設備制御ノードと、領域センサとが設けられ、
前記領域センサは、自己の所在する所在領域内の環境パラメータを検出し、
前記領域設備制御ノードは、自己の所在する所在領域内の前記領域設備に接続され、前記環境パラメータに基づいて前記領域設備の制御動作を行い、
前記領域制御装置は、前記領域設備制御ノードに接続されて前記環境パラメータ及び前記制御動作を受信し、
前記スマートノードは、接続した前記領域制御装置から前記環境パラメータ及び前記制御動作を抽出することを特徴とする請求項２に記載の無線通信ネットワークシステム。
【請求項８】
各前記スマートノードには、それぞれ、自己の所在する所在領域に関連する領域情報が記憶され、
各前記領域情報には、それぞれ、自己の所在する所在領域における各種設備項目の設備機能が記録され、
前記無線通信ネットワークシステムは、各前記スマートノードの所在領域及び各前記領域情報に基づいて、各前記設備項目の空間トポロジネットワークが記録されるトポロジネットワーク図面を作成し、
前記トポロジネットワーク図面では、複数の前記スマートノードの所在領域における各前記設備項目の設備機能が複数の前記スマートノードによって代表され、
前記設備項目は、ファンの風口、空調システムの冷却水管路の冷却水出入口及び非常口の少なくとも１つを含むことを特徴とする請求項２に記載の無線通信ネットワークシステム。
【請求項９】
多領域の管理を行うための無線通信ネットワークシステムを用いた管理方法であって、
前記無線通信ネットワークシステムは、複数の領域制御装置と、複数のスマートノードと、を備え、
各前記スマートノードは、それぞれ、前記領域制御装置に電気的に接続されるとともに建築物の異なる領域に設けられ、
複数の前記スマートノードは、それぞれ、自己組織ネットワークを介して無線接続され、
前記管理方法は、
前記建築物における複数種類の設備項目を選択するステップａと、
各前記スマートノードが所在する所在領域及び各前記スマートノードに記憶された領域情報に基づいて前記設備項目に関連するトポロジネットワーク図面を作成するとともに、複数の前記スマートノードの所在領域における前記設備項目の設備機能を各前記領域情報のそれぞれに記録するステップｂと、
前記トポロジネットワーク図面において複数の前記スマートノードによって各前記領域における前記設備項目の設備機能が代表されるようにし、前記設備項目の空間トポロジネットワークを含ませて前記トポロジネットワーク図面を記憶するステップｃと、を含むことを特徴とする管理方法。
【請求項１０】
各前記領域制御装置が、それぞれ、自己の所在する所在領域内の環境パラメータを受信する所在領域ステップｄと、
各前記スマートノードが、それぞれ、自己の所在する所在領域内の前記領域制御装置から前記環境パラメータを抽出するステップｅと、
各前記スマートノードが、それぞれ、前記環境パラメータに基づいて自己の所在する所在領域の環境が使用者の要求を満たす快適度となるために必要なリソースを算出するステップｆと、をさらに含み、
前記環境パラメータは、少なくとも、各前記スマートノードの所在領域における、人数、温度、湿度及びＣＯ２含有量を含むことを特徴とする請求項９に記載の管理方法。
【請求項１１】
複数の前記スマートノードは、ルータ機能を有するスマートノードを含み、
前記管理方法は、
各前記スマートノードが、それぞれ、前記ルータ機能を有するスマートノードに演算結果を伝送するステップｇと、
前記ルータ機能を有するスマートノードが、各前記スマートノードの演算結果に基づいて総演算を行うとともに、領域全体が使用者の要求を満たす快適度となるために必要なリソースを算出するステップｈと、をさらに含むことを特徴とする請求項１０に記載の管理方法。
【請求項１２】
建築物の多領域を管理するための無線通信ネットワークシステムであって、
前記建築物は、複数の領域から構成される階を複数有し、
複数の前記領域内のそれぞれに設けられ、局部領域無線検出ネットワークを介して自己の所在する所在領域における設備全体に無線接続され、これら前記設備を制御することによって当該設備からフィードバックされた情報を受信する複数の領域制御装置と、
それぞれ、複数の前記領域内に設けられるとともに、自己の所在する所在領域における前記領域制御装置に電気的に接続され、前記領域制御装置から前記情報を抽出して分析及び演算を行い、演結果に応じて当該所在領域の環境における最適化制御を行う複数のスマートノードと、
それぞれ、複数の前記階のそれぞれに設けられるとともに相互接続無線通信ネットワークを介して自己の所在する所在階における複数の前記スマートノードに無線接続され、前記所在階における複数の前記スマートノードを介して各前記領域の前記情報を受信することによって、前記所在階の複数の前記領域における環境の最適化制御を行う、ルータ機能を有する複数のスマートノードと、を備えることを特徴とする無線通信ネットワークシステム。
【請求項１３】
各前記領域制御装置は、それぞれ、自己の所在する所在領域の環境パラメータを受信して接続した前記スマートノードに伝送し、
各前記スマートノードは、それぞれ、前記環境パラメータに基づいて自己の所在する所在領域の環境が使用者の要求を満たす快適度となるために必要なリソースを算出し、
各前記ルータ機能を有するスマートノードは、それぞれ、自己の所在する所在階における各前記スマートノードの演算結果を受信して当該所在階における領域全体が使用者の要求を満たす快適度となるために必要なリソースを算出することを特徴とする請求項１２に記載の無線通信ネットワークシステム。
【請求項１４】
複数の前記スマートノードは、それぞれ、記憶ユニットを有し、
前記記憶ユニットには、自己の所在する所在領域に関連する領域情報が記憶され、
各前記領域情報には、それぞれ、各前記スマートノードの所在領域における各種設備項目の設備機能が記録されることを特徴とする請求項１３に記載の無線通信ネットワークシステム。
【請求項１５】
管理サーバをさらに備え、
前記管理サーバは、
各前記ルータ機能を有するスマートノードに接続されるとともに各前記ルータ機能を有するスマートノードを介して各前記スマートノードに接続され、各前記スマートノードの所在領域及びこれらの領域情報に基づいて各前記設備項目の空間トポロジネットワークが記録されるトポロジネットワーク図面を作成し、
各前記トポロジネットワーク図面では、それぞれ、各前記スマートノードの所在領域における各前記設備項目の設備機能が各前記スマートノードによって代表されることを特徴とする請求項１４に記載の無線通信ネットワークシステム。
【発明の詳細な説明】
【技術分野】
【０００１】
本発明は、無線通信ネットワークシステム及びその管理方法に関し、特に、建築物の多領域を管理するための無線通信ネットワークシステム及びその管理方法に関する。
【背景技術】
【０００２】
一般に、従来の建築物は、当該建築物を効果的に管理するために、専用の管理システムが設けられている。従来の管理システムでは、様々な異なる機能、例えば、消防機能、空調機能、出入制限機能及びＣＣＴＶ監視機能を提供するため、これら機能に対応するサブシステムを設ける必要がある。また、このような管理システムでは、これらサブシステムを効果的に整合させるため、中央の整合プラットフォームを用いて、統一的に整合するようにしているのが一般的である。
【０００３】
ここで、従来の無線管理を行うための通信システムについて、図１を参照して説明する。図１は、従来の無線管理を行うための通信システムを示す構成図である。
図１に示すように、従来の管理システムは、主に、消防サブシステム１１と、空調サブシステム１２と、出入制限サブシステム１３と、整合プラットフォーム２とを備えている。整合プラットフォーム２は、建築物内の中央サーバであり、消防サブシステム１１、空調サブシステム１２及び出入制限サブシステム１３にそれぞれ接続されている。
【先行技術文献】
【特許文献】
【０００４】
【特許文献１】米国特許出願公報第２０１２０２８６６７３号明細書
【特許文献２】米国特許出願公報第２０１２０１９７８５２号明細書
【特許文献３】台湾特許出願公開第２０１３０９０５９号明細書
【特許文献４】台湾特許出願公開第２０１４０４１８３号明細書
【発明の概要】
【発明が解決しようとする課題】
【０００５】
従来の管理システムでは、各サブシステム（消防サブシステム１１〜出入制限サブシステム１３）が、それぞれ、独立して運転され、関連する情報を記憶してこれらに対応する機能が提供されるようなっている。そして、各サブシステムにおいて、相互に情報を交換するような場合、当該情報は、整合プラットフォーム２に伝送され、当該整合プラットフォーム２によって処理されるようになっている。
すなわち、従来の通信方式では、各サブシステム間における通信が、互いに直接行われていないため、効率的ではない、といった問題があった。さらに、情報全体の伝送が、整合プラットフォーム２を経由しているため、当該管理システムの情報伝達量が非常に膨大になる、といった問題も生じていた。
【０００６】
仮に、従来の管理システムを用いた場合において、サブシステムが、同一の領域（例えば、部屋またはオフィス）または階に設けられていたとしても（空間上、互いに近接して設けられていたとしても）、情報の伝達を行う場合、依然として、整合プラットフォーム２を経由する必要があった。
【０００７】
従来の管理システムでは、このように、サブシステムが、他のサブシステムがそばに（または付近に）設けられていたとしても、重要な情報を他のサブシステムに直接伝達することができなかった。このため、従来の管理システムでは、建築物の全体に対して監視または管理することしかできず、当該建築物における領域の最適化の管理を行いにくい、といった問題もあった。
【０００８】
本発明の主な目的は、建築物の各領域内に設けられる領域設備を制御するとともに、各領域内の領域設備からフィードバックされた情報に基づいて分析及び必要な演算を行うことで、建築物の各領域における環境の最適化を行うことが可能な無線通信ネットワークシステム及びその管理方法を提供することにある。
【０００９】
本発明のもう１つの主な目的は、異なる各領域に設けられる複数のスマートノードを自己組織ネットワーク介して互いに接続して、各スマートノード間において各領域の情報を伝達することができるように構成することで、建築物の複数の領域における環境の最適化を同時に行うことが可能な無線通信ネットワークシステム及びその管理方法を提供することにある。
【００１０】
本発明のさらにもう１つの主な目的は、各スマートノードを、それぞれの所在領域における各項設備項目の設備機能に対応させることで、各スマートノードによって各項設備項目の空間トポロジネットワークを代表させることが可能な無線通信ネットワークシステム及びその管理方法を提供することにある。
【課題を解決するための手段】
【００１１】
上記目的を達成するため、本発明は、複数のスマートノードと、複数の領域制御装置と、を備えている。各スマートノードは、それぞれ、領域制御装置に電気的に接続され、建築物の異なる領域に設けられる。各領域制御装置は、それぞれ、所在領域における設備全体と無線自己組織ネットワークを構築し、これら設備を制御することによって当該設備からフィードバックされた情報を受信する。各スマートノードは、それぞれ、接続した領域制御装置から関連情報を抽出して分析及び必要な演算を行って、所在領域における環境に対して最適化を行う。そして、各スマートノードは、それぞれ、自己組織ネットワークを介して互いに通信しあい（各所定領域内の情報を互いに伝達し）、複数の領域における環境の最適化を同時に行う。
【発明の効果】
【００１２】
本発明は、従来の技術と比較して、領域制御装置が所在領域における領域設備全体の制御を行うとともに、スマートノードが領域制御装置から設備情報を抽出して分析及び必要な演算を行うことによって、建築物における各領域に対してそれぞれ環境の最適化制御を行うことができる。
【００１３】
また、本発明において、各スマートノードは、自己組織ネットワークを介して互いに接続され、情報を互いに伝送しあうように構成されているため、当該建築物における領域全体を（同時に）考慮（管理）することができ、その結果、複数の領域に対して環境の最適化制御を同時に行うことが可能となる。
【００１４】
さらに、本発明は、各スマートノードを、それぞれ、所在領域（例えば、ファンの風口、冷却水出入口等を有する冷却水管路）に設けられる設備機能に対応させるようにしているため、各領域における各スマートノードによって各種設備の空間トポロジネットワークが代表されて対応するトポロジネットワーク図面を作成することができる。
このようにして、システムが作成したトポロジネットワーク図面によって各種設備項目に関連する位置情報を取得することができ、対応する演算を行うことによって制御のスマート化を図ることが可能となる。
【図面の簡単な説明】
【００１５】
【図１】従来の無線管理を行うための通信システムを示す構成図である。
【図２】本発明の具体的な実施例１に係る無線通信システムを示す構成図である。
【図３Ａ】本発明の具体的な実施例２に係る無線通信システムを示す構成図である。
【図３Ｂ】本発明の具体的な実施例３に係る無線通信システムを示す構成図である。
【図４Ａ】本発明の具体的な実施例１に係る所定領域を説明するための図である。
【図４Ｂ】本発明の具体的な実施例２に係る所定領域を説明するために図である。
【図５】本発明の具体的な実施例１に係るスマートノードを示すブロック図である。
【図６】本発明の具体的な実施例１に係るスマートノードを増加させた場合の制御を示すフローチャートである。
【図７】本発明の具体的な実施例１に係るトポロジネットワーク図面を作成する場合の制御を示すフローチャートである。
【図８】本発明の具体的な実施例１に係る建築物のフロア（階）を示す（模式）図である。
【図９】本発明の具体的な実施例１に係るトポロジネットワーク図面を示す図である。
【図１０】本発明の具体的な実施例２に係るトポロジネットワーク図面を示す図である。
【図１１】本発明の具体的な実施例１に係る管理方法の制御を示すフローチャートである。
【図１２】本発明の具体的な実施例３に係る無線通信システムの構成を示す図である。
【発明を実施するための形態】
【００１６】
本発明の好適な実施例について、図面を参照しながら詳細に説明する。
まず、図２及び図３Ａを参照しながら本発明を説明する。図２は本発明の具体的な実施例１に係る無線通信システムの構成を示す図、図３は本発明の具体的な実施例２の無線通信システムの構成を示す図である。
図２及び図３Ａに示すように、本発明に係る多領域を管理するための無線通信システム（以下、「システム」と称す）は、主に、複数のスマートノード３（Ｓｍａｒｔ  Ｎｏｄｅ）と、複数の領域制御装置４（Ｚｏｎｅ  Ｃｏｎｔｒｏｌｌｅｒ）とを備えている。本実施例において、複数のスマートノード３の数は、複数の領域制御装置４の数に対応している。また、１つのスマートノード３は、１つの領域制御装置４に電気的に接続される。なお、各スマートノード３は、それぞれ、各領域制御装置４と一体に形成してもよいが、これに限定されない。
【００１７】
本発明に係るシステムは、主に、建築物（図示せず）に用いられるものである。なお、建築物に複数の階（Ｆｌｏｏｒｓ）を設けることが可能である。この場合、各階には、それぞれ、複数の領域（Ｚｏｎｅｓ）を設けるのがよい。
先に、図２を参照して本発明の好適な実施例について説明する。
図２の実施例（実施例１）では、単一階において複数の領域が設けられたものを例示している。
図２に示すように、各領域には、それぞれ、１つのスマートノード３と、１つの領域制御装置４とが設けられている。領域制御装置４は、当該領域制御装置４が所在する所在領域に設けられた領域設備全体を制御するためのものであり、これら領域設備の情報が受信されるように構成されている。スマートノード３は、領域制御装置４によって抽出された領域設備の情報に基づいて分析及び必要な計算（演算）を行う。これにより、各領域の何れもが、当該領域内に設けられるスマートノード３及び領域制御装置４によって。最適化の制御（最適化制御）が行われるようになっている。
【００１８】
図２に示すように、異なる領域におけるスマートノード３は、自己組織ネットワークを介して互いに接続される。具体的に、各スマートノード３は、所在領域内の各項の情報を互いに伝達することができるように、相互接続無線通信ネットワーク（Ｉｎｔｅｒ−ｚｏｎｅ  ｗｉｒｅｌｅｓｓ  ｃｏｍｍｕｎｉｃａｔｉｏｎ  ｎｅｔｗｏｒｋ）６を構築する。なお、相互接続無線通信ネットワーク６は、無線メッシュネットワーク（Ｗｉｒｅｌｅｓｓ  Ｍｅｓｈ  Ｎｅｔｗｏｒｋ，ＷＭＮ）、例えば、ｍｅｓｈ機能を有するＷｉ−Ｆｉネットワークによって実現することができるが、これに限定されない。また、建築物における異なる階においては、異なる相互接続無線通信ネットワーク６を構築することが可能である。この場合、異なる階のスマートノード３が、１つまたは複数のルータ機能を有するスマートノード３’によって互いに接続（相互接続）されるように構成することも可能である。このように、これらスマートノード３が、何れもルータ機能を有すれば、異なる階におけるスマートノード３（即ち、異なる相互接続無線通信ネットワーク６に接続されるスマートノード３）を互いに直接接続することができるようになる。
【００１９】
本実施例において、これらスマートノード３の少なくとも１つを、ルータ機能（ｒｏｕｔｉｎｇ）を有するものとすれば、このスマートノード３を、上述したルータ機能を有するスマートノード３’と見なすことができる。ルータ機能を有するスマートノード３’は、異なる階における複数のスマートノード３を接続することに用いることができる。このようにすれば、複数の異なる相互接続無線通信ネットワーク６に接続することが可能なため、複数の相互接続無線通信ネットワーク６の間に情報を伝達することができるようになる。
【００２０】
具体的に、ルータ機能を有するスマートノード３’は、１つの階において１つの目的ノードとすることが可能である。この場合、ルータ機能を有するスマートノード３’は、同一階における複数の領域の情報を収集して統一的に整合させて、分析及び必要な演算を行う。さらに、ルータ機能を有するスマートノード３’は、分析及び演算結果に基づいて、当該階における各領域内の各スマートノード３に対して要求を伝送する。これによって、ルータ機能を有するスマートノード３’は、自己の担当する階における領域全体の状況を考慮して、当該階における複数の領域に対して同時に最適化制御を行うことができる。
【００２１】
次に、図３Ａを参照しながら本発明の実施例（実施例２）を説明する。
図３Ａに示すように、当該建築物の各階における各スマートノード３は、ルータ機能を有するスマートノード３’を介して接続され、通信することが可能となっている。
図３Ａに示す実施例では、第ｎ階Ｆｎは、３つの領域から構成されており、当該３つの領域内の３つのスマートノード３がルータ機能を有するスマートノード３’を介して整合されるようになっている。
第ｎ＋１階Ｆｎ＋１は、４つの領域から構成されており、当該４つの領域内の４つのスマートノード３が他のルータ機能を有するスマートノード３’によって整合されるようになっている。また、２つのルータ機能を有するスマートノード３’は、互いに無線接続され、異なる階における各領域の情報を互いに伝達しあうように構成されている。
【００２２】
図３Ａでは、複数のスマートノード３が異なる相互接続無線通信ネットワーク６に接続される場合、主に、ルータ機能を有するスマートノード３’を介して互いに接続されるようになっている。なお、これらスマートノード３及びルータ機能を有するスマートノード３’は、無線ネットワークによって接続することができない場合（例えば、距離が遠すぎたり、または、当該領域に無線ネットワークを有しない場合）、これらスマートノード３及びルータ機能を有するスマートノード３’が、ゲートウェイを介して接続できるようにすることも可能である。
【００２３】
次に、図３Ｂも参照しながら本発明の実施例を説明する。図３Ｂは本発明の具体的な実施例３に係る無線通信システムの構成を示す図である。
図３Ｂに示す実施例では、当該システムは、さらにゲートウェイ５を備えている。本実施例では、第ｎ階Ｆｎにおけるルータ機能を有するスマートノード３’が、無線ネットワークを介して第ｎ＋１階Ｆｎ＋１におけるルータ機能を有するスマートノード３’に接続することができない場合、有線方式で当該ｎ＋１階Ｆｎ＋１に最も近いゲートウェイ５に接続され、当該ゲートウェイ５を介してｎ＋１階Ｆｎ＋１におけるルータ機能を有するスマートノード３’（有線または無線方式を介する）に接続されるようになっている。
【００２４】
また、図３Ｂに示すように、当該システムは、バスバー５１と、管理サーバ５２と、データベースサーバ５３とをさらに備えている。ゲートウェイ５は、バスバー５１に電気的に接続され、バスバー５１を介して管理サーバ５２及びデータベースサーバ５３のそれぞれに電気的に接続されている。
【００２５】
データベースサーバ５３には、主に、各階における各領域の情報が記憶されている。さらに、このデータベースサーバ５３には、当該建築物の基本データ（例えば、階における平面図や、消防、給排水、弱電、電力、空調に関連する平面図）が記憶されている。なお、データベースサーバ５３には、当該建築物の各階の構成、及び、各ハードウェア設備（例えば、これらのスマートノード３及びこれらの領域制御装置４）の階における設置位置等を記憶することも可能である。
【００２６】
管理サーバ５２は、主に、データベースサーバ５３から上記情報を取得して、各階及び各領域における状態の分析（例えば、エネルギ消耗状況、温度、湿度状況、人の進出状況及び灯具の開／閉状況）を行う。管理サーバ５２によって収集及び分析されたデータは、当該システムにおいて後に行なわれるデータマイニング（Ｄａｔａ  Ｍｉｎｉｎｇ）作業に有利となる（用いられる）。本実施例では、このような作業を行うことによって、当該建築物全体の環境に対して最適化の制御（最適化制御）が行われるようになっている。
【００２７】
本実施例において、管理サーバ５２は、上記スマートノード３及びルータ機能を有するスマートノード３’を用いて各領域の情報をサーチするように構成され、ルータ機能を有するスマートノード３’と同様な機能を実行するようにしている。すなわち、本実施例では、このように構成することで、異なる階の複数の領域における環境の最適化を同時に行うようにしている。すなわち、本発明では、単一の領域における環境の最適化について演算を行う場合、当該領域におけるスマートノード３によって実行される一方、複数の領域に対して最適化の演算を同時に行う場合、ルータ機能を有するスマートノード３’または管理サーバ５２によって実行されるようにしている。
【００２８】
次に、図４Ａを参照しながら、本発明の具体的な実施例１に係る所定領域について説明する。
図４Ａに示すように、この例の建築物における各領域には、それぞれ、スマートノード３及び領域制御装置４が設けられている。図４Ａでは、所定領域Ｚｎを例にして説明する。
【００２９】
本実施例において、領域制御装置４は、所定領域Ｚｎ内の少なくとも１つの領域設備制御ノード及び少なくとも１つの領域センサによって自己組織ネットワークを構築している。領域センサは、当該所定領域Ｚｎ内の環境パラメータを検出する。領域設備制御ノードは、環境パラメータにより、所定領域Ｚｎ内の各項領域設備（例えば、明かり、ブラインド、ファン、小型クーラ等）に対して対応する制御を行う。
具体的に、領域制御装置４、当該所定領域Ｚｎ内に設けられる領域設備制御ノード及び領域センサは、局部領域無線検出ネットワーク（Ｌｏｃａｌ  ｚｏｎｅ  ｗｉｒｅｌｅｓｓ  ｓｅｎｓｉｎｇ  ｎｅｔｗｏｒｋ）４０を構成する。本実施例において、局部領域無線検出ネットワークは、Ｚｉｇｂｅｅまたはその他の低消費電力の無線通信ネットワークにより実現されるが、これに限定されない。
【００３０】
図４Ａに示す実施例では、領域制御装置４は、第１領域設備制御ノード４１１及び第２領域設備制御ノード４１２に無線接続される。第１領域設備制御ノード４１１は、第１領域センサ４２１に無線接続される一方、第２領域設備制御ノード４１２は、第２領域センサ４２２及び第３領域センサ４２３に無線接続される。
【００３１】
第１領域設備制御ノード４１１は、第１領域設備（例えば、照明裝置、図示せず）の制御ユニットであって、第１領域設備に電気的に接続されている。第１領域センサ４２１（例えば、焦電形赤外線センサ（Ｐｙｒｏｅｌｅｃｔｒｉｃ  Ｉｎｆｒａｒｅｄ  ｓｅｎｓｏｒ，ＰＩＲ  ｓｅｎｓｏｒ））は、人が所定領域Ｚｎに進入したことを検出すると、この情報を第１領域設備制御ノード４１１に伝送する。これにより、本実施例では、第１領域設備制御ノード４１１によって第１領域設備を制御して起動させる。また、スマートノード３は、第１領域設備制御ノード４１１から制御動作及び人の進入の情報を抽出する。スマートノード３は、この情報を（同一）階におけるその他のスマートノード３に伝達して、所定領域Ｚｎに人が進入したことや第１領域設備が起動したことを知らせる。
【００３２】
第２領域設備制御ノード４１２は、第２領域設備（例えば、空調システムのファンコイルユニット（Ｆａｎ  Ｃｏｉｌ  Ｕｎｉｔ，ＦＣＵ）、図示せず）を制御するために用いられる。第２領域センサ４２２（例えば、温度センサ）及び／または第３領域センサ４２３（例えば、湿度センサ）は、所定領域Ｚｎ内の温度／湿度の変化を検出すると、この情報を第２領域設備制御ノード４１２に伝送する。これにより、本実施例では、第２領域設備制御ノード４１２によって第２領域設備の起動を制御する（または温／湿度調整を行う）。また、スマートノード３は、第２領域設備制御ノード４１２から上記制御動作及び温度／湿度の変化の情報を抽出する。
【００３３】
上述したように、スマートノード３は、所定領域Ｚｎ内の領域センサによって検出された情報及び領域設備制御ノードが行った制御動作を抽出する。従って、スマートノード３は、これらの情報及び制御動作に基づいて分析及び必要な演算を行い、所定領域Ｚｎにおける環境に対して最適化制御を行う。
【００３４】
例えば、スマートノード３は、焦電型赤外線センサを用いて所定領域Ｚｎ内の人数の演算、温度センサを用いて所定領域Ｚｎ内の温度の取得、及び、湿度センサを用いて所定領域Ｚｎ内の湿度を取得する。これにより、スマートノード３は、所定領域Ｚｎにおいて生じた熱エネルギの値を秒単位で算出することが可能となっている。また、スマートノード３は、例えば、熱エネルギを効果的に排出する場合、空調システムの冷却水管路においてどれぐらいの氷水（冷却水）量が所定領域Ｚｎを通過（経過）するかを秒単位で算出することができる。このように、本実施例では、スマートノード３による演算によって、所定領域Ｚｎにおける環境を、使用者の要求を満たす快適度を効果的に維持することが可能となっている。
【００３５】
なお、図４Ａに示す実施例では、階層式のフレームワークよるものを採用したが、例えば、水平式のフレームワークによるものを採用することも可能である。
この点に関し、図４Ｂを参照しながら説明する。図４Ｂは本発明の具体的な実施例１に係る所定領域を説明するための図である。
図４Ｂに示すように、本実施例において、所定領域Ｚｎには、上記実施例と同様に、スマートノード３と、領域制御装置４と、第１領域設備制御ノード４１１と、第２領域設備制御ノード４１２と、第１領域センサ４２１と、第２領域センサ４２２と、第３領域センサ４２３とが設けられている。
【００３６】
図４Ａに示す実施例との相違点は以下のとおりである。
図４Ｂに示す実施例では、領域制御装置４は、上記局部領域無線検出ネットワーク４０を介して、第１領域設備制御ノード４１１、第２領域設備制御ノード４１２、第１領域センサ４２１、第２領域センサ４２２及び第３領域センサ４２３に、直接、無線接続されている。このように構成することで、領域制御装置４は、第１領域設備制御ノード４１１及び第２領域設備制御ノード４１２から、実行された制御動作を直接抽出することができ、また、第１領域センサ４２１、第２領域センサ４２２及び第３領域センサ４２３によって検出した情報を直接抽出することできるようになっている。
【００３７】
すなわち、本実施例において、領域設備制御ノード及び領域センサは、いわば対等な地位にあるといえる。すなわち本実施例では、例えば、領域設備制御ノードが領域センサの検出情報を抽出する場合、領域制御装置４を介して取得され、領域センサから直接伝送（提供）されるようには構成されてはいない。
【００３８】
次に、図５を参照しながら、本発明の具体的な実施例１に係るスマートノードを示すブロック図について説明する。
図５に示すように、スマートノード３は、主に、処理ユニット３１と、無線通信ユニット３２と、有線通信ユニット３３と、記憶ユニット３４とを有している。処理ユニット３１は、無線通信ユニット３２、有線通信ユニット３３及び記憶ユニット３４のそれぞれに電気的に接続される。無線通信ユニット３２は、その他のスマートノード３及び／またはルータ機能を有するスマートノード３’と通信するために用いられるものであって、相互接続無線通信ネットワーク６に無線接続されている。有線通信ユニット３３は、有線方式によって所在領域における領域制御装置４に電気的に接続される。本実施例において、有線通信ユニット３３は、例えば、ＲＳ−４８５ポートであってもよいが、これに。また、特に、ルータ機能を有するスマートノード３’は、無線通信ユニット３２を介してゲートウェイ５と通信してもよく、また、有線通信ユニット３３を介してゲートウェイ５と通信してもよい。
【００３９】
処理ユニット３１は、領域制御装置４から抽出した情報に対して分析及び必要な演算を行うために用いられる。また、処理ユニット３１は、さらに、目的ノードからの要求を処理するとともに、領域制御装置４を触発して（に対して）当該要求に対応する制御動作を行う。記憶ユニット３４には、少なくとも、算出プログラム３４１が記憶されている。算出プログラム３４１は、主に、上記分析及び演算を実行するために用いられる。具体的に、算出プログラム３４１は、最適化制御を実行するための演算法（プログラム）であり、スマートノード３が設置される以前に、予め記憶ユニット３４に書き込まれるものである。
【００４０】
なお、スマートノード３には、処理ユニット３１に、電気的に接続されるマン・マシンインターフェースユニット３５を設けることも可能である。この場合、マン・マシンインターフェースユニット３５は、入力モジュール及び表示モジュール（図示せず）を有していてもよい。このように構成すれば、スマートノード３は、入力モジュールを介して使用者からの入力情報や要求を受け付け、当該表示モジュールによって使用者が要求する情報を表示することが可能となる。ここで、マン・マシンインターフェースユニット３５において表示することが可能な情報は、主に、所在領域に関連する情報であり、その他の領域またはその他の階の情報についてはマン・マシンインターフェースユニット３５に表示しない。
【００４１】
次に、図６を参照しながら、本発明の具体的な実施例１に係るスマートノードを増加させた場合の制御（を示すフローチャート）について説明する。
図６に示すように、当該システムにおける本制御は、まず、建築物の何れかの階における何れかの領域内に、１つのスマートノード３が増加された場合に実行される（ステップＳ１０）。
スマートノード３が起動されると、管理サーバ５２に登録され、その後、相互接続無線通信ネットワーク６を自動的にサーチして加入する（ステップＳ１２）。ステップＳ１２を行った後、スマートノード３は、相互接続無線通信ネットワーク６を介して所在領域に関連する領域情報（例えば、図５に示す領域情報３４２）を受信して（ステップＳ１４）、領域情報３４２を記憶する（ステップＳ１６）。
【００４２】
具体的に、各領域は、建築物自体の構成によって決定されるものであって、それぞれ異なる設備機能を有する。例えば、ある領域においては、ファンの風口、空調システムの冷却水出入口や非常口等が設けられる一方、他の領域においては上記設備機能を具備しない場合もある。
このように、本実施例では、スマートノード３を設置するだけで、所在領域に関連する領域情報３４２を受信して記憶させることが可能となっている。
【００４３】
上述したように、データベースサーバ５３は、建築物の各階及び各領域の情報、及び建築物の基本データを記録するため、上記領域情報３４２をスマートノード３に提供するようにしている。なお、その他の実施例においては、その他のスマートノード３またはルータ機能を有するスマートノード３’によって領域情報３４２が提供されるように構成してもよいが、これによって限定されない。
スマートノード３は、領域情報３４２によって、その所在領域の設備機能（例えば、（１）ファンの風口の有／無、風口の数、（２）冷却水出入口の有／無、冷却水出入り口の数、（３）非常口の有無、及び、（４）その他の領域との間の距離）を知る（把握）ことができるようになっている。
【００４４】
また、上述したように、各スマートノード３は、それぞれ、異なる領域内に設置され、所在領域の設備機能を記録している。このため、これらのスマートノード３によって、建築物における各項設備を代表させることができる。このようにすれば、例えば、後述するようなグラフ（Ｇｒａｐｈ）の方式でこれら設備の空間トポロジネットワークを示すことが可能となる。
【００４５】
次に、図７を参照しながら、本発明の具体的な実施例１に係るトポロジネットワーク図面を作成する場合の制御（を示すフローチャート）について説明する。
図７に示すように、当該システムは、まず、何れかの設備項目（例えば、上記ファンまたは冷却水管路）を選択する（ステップＳ２０）。次に、当該システムは、各スマートノード３の所在領域及び各スマートノード３が記録した領域情報３４２に基づいて、当該設備項目に関連するトポロジネットワーク図面を作成する（例えば、図１０に示すトポロジネットワーク図面）（ステップＳ２２）。
【００４６】
ステップＳ２２を行った後、当該システムは、作成した当該トポロジネットワーク図面を記録する（ステップＳ２４）。本実施例において、上記のステップＳ２２及びステップＳ２４は、主に、各スマートノード３、各ルータ機能を有するスマートノード３’または管理サーバ５２によって実行されるが、これに限定されない。
【００４７】
例えば、管理サーバ５２に表示スクリーンが設けられていれば、当該システムは、管理サーバ５２に当該トポロジネットワーク図面を選択的に表示することもできる（ステップＳ２６）。このように構成すれば、管理人は、ユーザ端末（例えば、図３に示すユーザ端末５４）を介して、当該システムに接続することができ（一般に、管理サーバ５２またはルータ機能を有するスマートノード３’に接続）、ユーザ端末５４を介して当該トポロジネットワーク図面を見ることが可能となる。
【００４８】
次に、図８〜図１０を参照しながら本発明の実施例を説明する。図８は本発明の具体的な実施例１に係る建築物の階（フロア）を示す図、図９は本発明の具体的な実施例１に係るトポロジネットワーク図面を示す図、図１０は本発明の具体的な実施例２に係るトポロジネットワーク図面を示す図である。なお、図８では単一階のものを例示しているが、本願に記載の空間トポロジは、複数の階でかつ複数の領域であってもよい。
図８に示すように、本実施例では、建築物における階には、主に、第１領域Ｚ１、第２領域Ｚ２、第３領域Ｚ３、第４領域Ｚ４、第５領域Ｚ５及び第６領域Ｚ６が設けられている。第１領域Ｚ１には、第１スマートノード８１が設けられている。同様に、第２領域Ｚ２には第２スマートノード８２が、第３領域Ｚ３には第３スマートノード８３が、第４領域Ｚ４には第４スマートノード８４が、第５領域Ｚ５には第５スマートノード８５が、第６領域Ｚ６には第６スマートノード８６がそれぞれ設けられている。
【００４９】
なお、図８に示す点線部分は、空調システムにおいて配設された冷却水管路７の経路を示している。
図８に示すように、冷却水管路７は、当該階において共に５つの冷却水出入口を有し、第１冷却水出入口７１は、第１領域Ｚ１に設けられている。同様に、第２冷却水出入口７２は第２領域Ｚ２に、第３冷却水出入口７３は第４領域Ｚ４に、第４冷却水出入口７４及び第５冷却水出入口７５は第６領域Ｚ６にそれぞれ設けられている。
ここで、本実施例において、冷却水管路７は、第５領域Ｚ５を通過しないように構成されている。また、冷却水管路７は、第３領域Ｚ３を通過するように構成されているが、この第３領域Ｚ３には任意の冷却水出入口が設けられていない。
【００５０】
上述したように、当該システムが、第１スマートノード８１〜第６スマートノード８６によって冷却水管路７の空間トポロジネットワークを代表させると、例えば、図９に示すようなトポロジネットワーク図面を取得するようになっている。
図９には、第１スマートノード８１、第２スマートノード８２、第４スマートノード８４、第６スマートノード８６及び冷却水管路７の経路が示されている。また、第１領域Ｚ１、第２領域Ｚ２、第４領域Ｚ４及び第６領域Ｚ６に、それぞれ、第１冷却水出入口７１〜第５冷却水出入口７５が設けられていることが示されている。このため、図９では、第１冷却水出入口７１〜第５冷却水出入口７５の開／閉を制御する設備機能を有するものが示されているといえる。なお、第３領域Ｚ３及び第５領域Ｚ５には、このような設備機能が設けられていない。
【００５１】
図９のトポロジネットワーク図面には、第１スマートノード８１、第２スマートノード８２、第４スマートノード８４、第６スマートノード８６によって、第１冷却水出入口７１、第２冷却水出入口７２、第３冷却水出入口７３、第４冷却水出入口７４、第５冷却水出入口７５の相対的な位置が示されている。特に、説明すべき点としては、第６領域Ｚ６の空間が大きい点、及び、この空間に第４冷却水出入口７４及び第５冷却水出入口７５が設けられている点である。また、本実施例では、当該システムは、第６スマートノード８６によって、第４冷却水出入口７４及び第５冷却水出入口７５の両方が代表されている点も付け加えておく。
図９のトポロジネットワーク図面を参照することによって、管理人は、当該階における冷却水管路７の空間トポロジネットワークを容易に知る（理解）することができるようになる。例えば、管理サーバ５２は、当該階の複数の領域に対して、同時に、温度及び湿度の最適化を行う際に、当該トポロジネットワーク図面を参照して演算することが可能となっている。本実施例では、例えば、当該階を通過する冷却水量を調整して、温度を上昇／低減させる場合、第３領域Ｚ３及び第５領域Ｚ５を考慮する必要がない。
【００５２】
図１０は、階の避難通路のトポロジネットワーク図面を示した図である。
図１０に示すように、当該システムにおいては、第１スマートノード８１〜第６スマートノード８６によって、第１領域Ｚ１〜第６領域Ｚ６が代表されており、また、当該トポロジネットワーク図面には、各領域の間の距離及び非常口の位置が示されている。図１０をみれば分かるように、本実施例においては、第２領域Ｚ２（第２スマートノード８２により代表される）、第４領域Ｚ４（第４スマートノード８４により代表される）及び第６領域Ｚ６（第６スマートノード８６により代表される）には、それぞれ、非常口が設けられている一方、第１領域Ｚ１（第１スマートノード８１により代表される）、第３領域Ｚ３（第３スマートノード８３により代表される）及び第５領域Ｚ５（第５スマートノード８５により代表される）には、非常口が設けられていない。
【００５３】
図１０のトポロジネットワーク図面を参照することによって、管理人は、当該階の避難通路を容易に知ることが可能となっている。管理サーバ５２が、当該階の複数の領域の最適避難通路を企画する（求める）際に、当該トポロジネットワーク図面に基づいて演算の参照を行うことが可能である。例えば、各領域における人数及び各領域間の距離に応じて（基づいて）、各領域における人に対して異なる避難方向や経路を算出（提示）することができる。本実施例において、当該階において、ルータ機能を有するスマートノード３’によって上記演算を行ってもよいが、これに限定されない。
【００５４】
なお、管理サーバ５２及びルータ機能を有するスマートノード３’のほかに、第１スマートノード８１〜第６スマートノード８６によってローカル演算を行ってもよい。具体的に、第１スマートノード８１〜第６スマートノード８６は、それぞれ、各領域における人数に対して即時に修正し、所在領域における人に避難通路を提示（提案）できるようにすることも可能である。例えば、第１領域Ｚ１は、第２領域Ｚ２及び第６領域Ｚ６の両方に連接している（つながっている）ため、第１スマートノード８１は、第１領域Ｚ１、第２領域Ｚ２及び第６領域Ｚ６のそれぞれの人数及び距離に基づいて、第１領域Ｚ１内にいる人については第２領域Ｚ２へ避難させるように提示したり、または、第６領域Ｚ６へ避難させるように提示したりする。
【００５５】
第１スマートノード８１〜第６スマートノード８６によって、各領域の人数を即時に修正させ、かつ、それぞれの避難通路を提示するようにした目的は、単一の第１スマートノード８１〜第６スマートノード８６によって、局部領域の情報に基づいて、持続して局部最適化の避難通路を提供させるためである。例えば、火事により管理サーバ５２、ルータ機能を有するスマートノード３’または、第１スマートノード８１〜第６スマートノード８６のうちの１つが破損された場合や、相互の接続が中断されるような場合、本発明では、依然として正常に運転しているスマートノードによって局部最適化の避難通路を提示することができるため、人が、避難通路を知らない、といった問題が生じることがない。
【００５６】
本発明では、図９の冷却水管路及び図１０の避難通路を例にとって説明した。上記方法によって、当該システムは、これらのスマートノード３によって建築物における任意の設備を代表させ、上記トポロジネットワーク図面を作成するようにしている。このため、本発明によれば、管理人がチェックする際に有利になるだけでなく、当該システムにより最適化の制御が行われる際にも有利となっている。
【００５７】
本実施例では、このようなトポロジネットワーク図面によって、事件が発生した場合、（自動的に）各階において、まず、同一階におけるこれらのスマートノード３によって並列的に演算が行われ、次に、演算結果が、当該ルータ機能を有するスマートノード３’及び管理サーバ５２に伝達され、ルータ機能を有するスマートノード３’または管理サーバ５２によって総演算（総合的な演算）が行われるようになっている。このように、本実施例では、各領域のそれぞれに対して最適化が行われるだけでなく、これらのスマートノード３の並列的な演算によって演算時間を短縮できるため、管理サーバ５２の負担（制御負担）を低減することもできる。
【００５８】
次に、図１１を参照しながら、本発明の具体的な実施例１に係る管理方法の制御を示すフローチャートについて説明する。
図１１に示すように、各領域制御装置４は、事件が発生すると（例えば、使用者が温度調整を要求すると）、所在領域内の領域設備制御ノード及び領域センサを用いて、所在領域の環境パラメータを取得（収集）する（ステップＳ３０）。本実施例における環境パラメータは、例えば、人数、温度、湿度、ＣＯ２含有量等である。
次に、スマートノード３は、接続した領域制御装置４からこれらの環境パラメータを抽出する（ステップＳ３２）。そして、スマートノード３は、これらの環境パラメータに基づいて、当該事件を解決するために必要なリソースを算出する（ステップＳ３４）。具体的に、ステップＳ３４において、スマートノード３は、主に、所在領域が使用者の要求を満たす快適度となるために必要なリソースを算出する。
【００５９】
例えば、領域制御装置４は、これらの領域設備制御ノード及び領域センサによって所在領域における現在の人数、温度及び湿度等の環境パラメータを取得することが可能である。一方、スマートノード３は、これらの環境パラメータを抽出することができる。また、スマートノード３は、これらの環境パラメータに基づいて算出プログラム３４１を実行して、所在領域において発生した熱エネルギの値を秒単位で算出するとともに、算出プログラム３４１により、所在領域が使用者の快適温度に対する要求を満たすために必要な氷水量（冷却水管路７の当該領域を秒ごとに通過する氷水量）を算出する。
【００６０】
最後に、各スマートノード３は、それぞれ。演算結果（例えば、上記氷水量）を管理サーバ５２に伝送し、全体総演算（総合的な演算）を行う（ステップＳ３６）。すなわち、各スマートノード３は、領域全体が使用者の要求を満たす快適度となるように必要なリソースを算出する。例えば、管理サーバ５２は各階においてスマートノード３全体の演算結果を受信し、そして各階における複数の領域が同時に使用者の要求を満たす快適度となるように、秒ごとに、各階を通過する、冷却水管路７における必要な氷水量、及び、氷水の温度を算出する。
【００６１】
特に説明すべき点として、各スマートノード３が、上記演算結果を、ルータ機能を有するスマートノード３’に伝送すると、当該演算結果がルータ機能を有するスマートノード３’によってゲートウェイ５を介して管理サーバ５２に伝送されることである。なお、本実施例において、所在階の複数の領域の運転が、各階におけるルータ機能を有するスマートノード３’によって総合的かつ直接に実行されてもよい。この場合、所在階の複数の領域が、同時に、使用者の要求を満たす快適度となるように、秒ごとに、各領域を通過する、冷却水管路７における、必要な氷水量、及び、氷水の温度を算出する。
【００６２】
また、各領域におけるこれらのスマートノード３と通信するように構成すれば、例えば、建築物内の各大型設備（例えば、空調設備の氷水主機）にスマートノード３を設けるとともに、上記ルータ機能有するスマートノード３’を介して各領域におけるこれらの（その他の）スマートノード３に接続させることも可能とある。
【００６３】
具体的に、各領域内に設けられたスマートノードを、データの分析、演算及び伝達を行うために用いる（第１種類のスマートノードに属する）一方、上記の大型設備に接続された（または内蔵した）スマートノードを、ルータ機能を有するスマートノード３’から受信した要求に基づいてこれらの大型設備を制御するために用いるようにすることも可能である（第２種類のスマートノードに属する）。
【００６４】
次に、図１２を参照しながら、本発明の具体的な実施例３に係る無線通信システムの構成について説明する。
図１２に示すように、本実施例では、各領域内に、それぞれ、第１種類のスマートノード９１が設けられている。第１種類のスマートノード９１は、所在領域における領域制御装置４に電気的に接続されるとともに、ルータ機能を有するスマートノード３’に無線接続される。第１種類のスマートノード９１は、領域制御装置４から関連データを抽出して分析及び演算を行い、所在領域が使用者の要求を満たすために必要なリソースを取得する。そして、演算結果を、ルータ機能を有するスマートノード３’に伝送し、その他の領域における第１種類のスマートノード９１に選択的に伝達する。
【００６５】
第２種類のスマートノード９２（第２のスマートノード）は、建築物においてルータ機能を有するスマートノード３’の全てに同時に接続されるとともに、建築物における大型設備９２１に同時に接続されることができるように構成されている。具体的に、第２種類のスマートノード９２は、主に、同一種類の大型設備に接続されるために用いられるが、接続数は限られない（例えば、図１２においては例として３つの大型設備９２１が用いられている）。
【００６６】
第２種類のスマートノード９２は、ルータ機能を有するスマートノード３’によって各領域が要求するリソースが受信され、当該リソースによって、接続した大型設備９２１に対して最適化制御が行われる。上記氷水量（冷却水量）を例にとっていえば、大型設備９２１は、空調システムの氷水主機（冷却水を生成する機械）であってもよい。この場合、第２種類のスマートノード９２は、３つの氷水主機が同時に接続されると、第２種類の演算を行った後、３つの氷水主機がそれぞれどのような動作をしているのかを把握したり、総氷水量が、各領域において要求される数（値）となるための算出を行ったりする。
【００６７】
このように、本発明によれば、各領域におけるスマートノード及び領域制御装置によって、領域における最適化が行われるよう構成されているため、従来の（伝統的な）建築物制御システムにおいて不足していた柔軟性の問題を解決することが可能である。
また、本発明は、各領域におけるスマートノードによって、各領域に設けられる設備機能が代表されるように構成されているため、建築物における当該設備の空間トポロジネットワークを効果的に反映することができ、その結果、管理人による管理負担の面及びシステムの最適化制御の面において有利となっている。
【００６８】
以上、本発明の好適な実施例を示したが、上記実施例は本発明を限定するものではない。本発明の内容に基づいて作成した等価な変更は何れも本発明の特許請求の範囲に含まれることを了承されたい。
【符号の説明】
【００６９】
１１  消防サブシステム
１２  空調サブシステム
１３  出入制限サブシステム
２  整合プラットフォーム
３  スマートノード
３’  ルータ機能を有するスマートノード
３１  処理ユニット
３２  無線通信ユニット
３３  有線通信ユニット
３４  記憶ユニット
３４１  算出プログラム
３４２  領域情報
３５  マン・マシンインターフェースユニット
４  領域制御装置
４０  局部領域無線検出ネットワーク
４１１  第１領域設備制御ノード
４１２  第２領域設備制御ノード
４２１  第１領域センサ
４２２  第２領域センサ
４２３  第３領域センサ
５  ゲートウェイ
５１  バスバー
５２  管理サーバ
５３  データベースサーバ
５４  ユーザ端末
６  相互接続無線通信ネットワーク
７  冷却水管路
７１  第１冷却水出入口
７２  第２冷却水出入口
７３  第３冷却水出入口
７４  第４冷却水出入口
７５  第５冷却水出入口
８１  第１スマートノード
８２  第２スマートノード
８３  第３スマートノード
８４  第４スマートノード
８５  第５スマートノード
８６  第６スマートノード
９１  第１種類のスマートノード
９２  第２種類のスマートノード
９２１  大型設備
Ｆｎ  第ｎ階
Ｆｎ＋１  第ｎ＋１階
Ｚ１  第１領域
Ｚ２  第２領域
Ｚ３  第３領域
Ｚ４  第４領域
Ｚ５  第５領域
Ｚ６  第６領域
Ｚｎ  所定領域
【図１】
2016072977.tif 000003
【図２】
2016072977.tif 000004
【図３Ａ】
2016072977.tif 000005
【図３Ｂ】
2016072977.tif 000006
【図４Ａ】
2016072977.tif 000007
【図４Ｂ】
2016072977.tif 000008
【図５】
2016072977.tif 000009
【図６】
2016072977.tif 000010
【図７】
2016072977.tif 000011
【図８】
2016072977.tif 000012
【図９】
2016072977.tif 000013
【図１０】
2016072977.tif 000014
【図１１】
2016072977.tif 000015
【図１２】
2016072977.tif 000016